(57)【要約】【課題】ユーザによる拡大領域の設定操作を不要とし、画面から離れた場所からでも所望のテキストを画面上に拡大表示することにより、ユーザの情報取得を容易にするとともに、ユーザの使い勝手を向上させる。【解決手段】コンテンツデータを解析することによって、フォーカスが当てられる各項目それぞれにおいて、フォーカスが当てられる項目及びその項目に隣接表示されるテキスト情報を含む情報を被拡大情報として設定し、操作機器の操作によるフォーカス移動に連動して、フォーカスが当てられる項目に対応する被拡大情報を自動的に画面上に拡大表示することを特徴とする。【選択図】図１
2011123717.tif 000002
【特許請求の範囲】
【請求項１】
画面を有した表示器と、マークアップ言語で記載されたコンテンツデータを解析して該コンテンツデータの示すコンテンツを前記画面に描画するブラウザ部と、前記表示器の画面を操作するための操作機器とを備えたコンテンツ表示装置において、
前記コンテンツデータを解析することによって、フォーカスが当てられる各項目それぞれにおいて、フォーカスが当てられる項目及びその項目に隣接表示されるテキスト情報を含む情報を被拡大情報として設定するテキスト情報解析部と、
前記操作機器の操作によるフォーカス移動に連動して、フォーカスが当てられる項目に対応する被拡大情報を自動的に前記画面上に拡大表示する表示管理部とを備えるコンテンツ表示装置。
【請求項２】
前記テキスト情報解析部が、前記コンテンツデータが示すコンテンツレイアウトにおける所定の規則に基づいて複数の領域に分割し、フォーカスが当てられる項目及び当該項目が含まれる前記領域において隣接表示されるテキスト情報を含む情報を被拡大情報として設定するものである請求項１記載のコンテンツ表示装置。
【請求項３】
前記テキスト情報解析部が、前記コンテンツデータが示すコンテンツレイアウトにおいて、フレーム構造又は段落構造に基づいて複数の領域に分割するものである請求項２記載のコンテンツ表示装置。
【請求項４】
前記表示管理部が、前記被拡大情報を前記画面上にスクロール表示するものである請求項１、２又は３記載のコンテンツ表示装置。
【請求項５】
前記表示管理部が、前記画面上に拡大表示されている被拡大情報を、コンテンツが表示された画面上に識別可能に表示するものである請求項１、２、３又は４記載のコンテンツ表示装置。
【請求項６】
画面を有した表示器と、マークアップ言語で記載されたコンテンツデータを解析して該コンテンツデータの示すコンテンツを前記画面に描画するブラウザ部と、前記表示器の画面を操作するための操作機器とを備えたコンテンツ表示装置におけるコンテンツ表示方法において、
前記コンテンツデータを解析することによって、フォーカスが当てられる各項目それぞれにおいて、フォーカスが当てられる項目及びその項目に隣接表示されるテキスト情報を含む情報を被拡大情報として設定するテキスト情報解析ステップと、
前記操作機器の操作によるフォーカス移動に連動して、フォーカスが当てられる項目に対応する被拡大情報を自動的に前記画面上に拡大表示する拡大表示ステップとを備えるコンテンツ表示方法。
【発明の詳細な説明】
【技術分野】
【０００１】
本発明は、例えばポインティングデバイスを持たない表示機器において、Ｗｅｂサイトにおけるアンカータグ等が付与された項目の選択等の操作性を向上させるコンテンツ表示装置に関するものである。
【背景技術】
【０００２】
近年において、インターネットに接続されて、Ｗｅｂコンテンツを表示して閲覧できるＴＶが一般的になりつつある。
【０００３】
ところが、多くのＷｅｂコンテンツはＰＣ（パーソナルコンピュータ）用に作成されているため、ＴＶでの閲覧に適していないものが多い。
【０００４】
具体的には、ＴＶでのコンテンツの閲覧は、ＰＣでの閲覧よりも画面から離れて閲覧することが多いところ、Ｗｅｂコンテンツにおけるフォント等は離れた場所から閲覧することが考慮されていない。つまり、ＷｅｂコンテンツをＴＶで閲覧する場合にはフォントが小さく見づらいという問題がある。
【０００５】
また、ＴＶは、ポインティングデバイスを持たず、Ｗｅｂコンテンツの操作は数字ボタンや方向ボタンを有するリモコンにより行われる。具体的には、方向キーを用いた移動操作は、イメージやリンクが貼られている項目等のフォーカスされる項目に対応して行われている。そうすると、ユーザの読みたいテキストがフォーカスされる項目でない場合には、思い通りに画面上に表示されず使い勝手が悪いという問題もある。
【０００６】
ここで、特許文献１に示すように、例えばタッチパネル等の画面上の表示を拡大する場合において、入力手段を介してユーザから拡大領域の指定範囲を受け付け、当該入力手段により指定された範囲を画面上に拡大表示するものが考えられている。
【０００７】
しかしながら、ユーザによる入力操作が必要となり、当該操作が負担となる場合がある。また、画面から離れて操作する場合には、そもそも画面上の表示が見えにくく、拡大範囲を指定しづらいということも考えられる。さらに、数字ボタンや方向ボタンを有するリモコンでは、拡大領域の指定が難しいという問題もある。
【先行技術文献】
【特許文献】
【０００８】
【特許文献１】国際公開第２００４／７９７０８号公報
【発明の概要】
【発明が解決しようとする課題】
【０００９】
そこで本発明は、上記問題点を一挙に解決すべくなされたものであり、ユーザによる拡大領域の設定操作を不要とし、画面から離れた場所からでも所望のテキストを画面上に拡大表示することにより、ユーザの情報取得を容易にするとともに、ユーザの使い勝手を向上させることをその主たる所期課題とするものである。
【課題を解決するための手段】
【００１０】
すなわち本発明に係るコンテンツ表示装置は、画面を有した表示器と、マークアップ言語で記載されたコンテンツデータを解析して該コンテンツデータの示すコンテンツを前記画面に描画するブラウザ部と、前記表示器の画面を操作するための操作機器とを備えたコンテンツ表示装置において、前記コンテンツデータを解析することによって、フォーカスが当てられる各項目それぞれにおいて、フォーカスが当てられる項目及びその項目に隣接表示されるテキスト情報を含む情報を被拡大情報として設定するテキスト情報解析部と、前記操作機器の操作によるフォーカス移動に連動して、フォーカスが当てられる項目に対応する被拡大情報を自動的に前記画面上に拡大表示する表示管理部とを備えることを特徴とする。
【００１１】
このようなものであれば、ユーザが拡大領域を設定する必要なく、フォーカスされる項目を操作機器により選択するだけで、当該フォーカスされる項目及びそれに隣接するテキスト情報を拡大表示することができる。したがって、画面から離れてコンテンツを閲覧する場合や低視力者等の視力障害を有するユーザに対して情報の取得を容易にするだけでなく、使い勝手を向上させることができる。
【００１２】
フォーカスされている項目と拡大するテキスト情報とに関連性を持たせることによりユーザの使い勝手をさらに向上させるためには、前記テキスト情報解析部が、前記コンテンツデータが示すコンテンツレイアウトにおいて、所定の規則に基づいて複数の領域に分割し、フォーカスが当てられる項目及び当該項目が含まれる前記領域において隣接表示されるテキスト情報を含む情報を被拡大情報として設定するものであることが望ましい。ここで、所定の規則とは、フレーム構造又は段落構造等のコンテンツレイアウトに基づいたものである。
【００１３】
拡大表示する際に、被拡大情報の全てが画面上に表示されるとは限らず、又はテキストの拡大率によっても全てを画面上に表示することができない場合がある。このとき、前記表示管理部が、前記被拡大情報を前記画面上にスクロール表示するものであることが望ましい。また、これならば、被拡大情報の全てを画面上に表示することができる。また、被拡大情報を一行で表示する等のように画面において被拡大情報を表示する領域を可及的に小さくすることができ、通常のコンテンツ画面の表示を過度に制限することを防止できる。
【００１４】
現在拡大表示されている被拡大情報をコンテンツ画面上に表示することによってユーザの使い勝手を向上させるためには、前記表示管理部が、前記画面上に拡大表示されている被拡大情報を、コンテンツが表示された画面上に識別可能に表示するものであることが望ましい。
【００１５】
また、本発明に係るコンテンツ表示方法は、画面を有した表示器と、マークアップ言語で記載されたコンテンツデータを解析して該コンテンツデータの示すコンテンツを前記画面に描画するブラウザ部と、前記表示器の画面を操作するための操作機器とを備えたコンテンツ表示装置におけるコンテンツ表示方法において、前記コンテンツデータを解析することによって、フォーカスが当てられる各項目それぞれにおいて、フォーカスが当てられる項目及びその項目に隣接表示されるテキスト情報を含む情報を被拡大情報として設定するテキスト情報解析ステップと、前記操作機器の操作によるフォーカス移動に連動して、フォーカスが当てられる項目に対応する被拡大情報を自動的に前記画面上に拡大表示する拡大表示ステップとを備えることを特徴とする。
【発明の効果】
【００１６】
このように構成した本発明によれば、ユーザによる拡大領域の設定操作を不要とし、画面から離れた場所からでも所望のテキストを画面上に拡大表示することにより、ユーザの情報取得を容易にするとともに、ユーザの使い勝手を向上させることができる。
【図面の簡単な説明】
【００１７】
【図１】本発明の一実施形態に係るコンテンツ表示装置の模式的構成図である。
【図２】同実施形態の画面表示及び領域分割の一例を示す図である。
【図３】同実施形態の画面表示及び領域分割の他の例を示す図である。
【図４】同実施形態の具体的なテキスト情報の拡大表示態様の一例を示す図である。
【図５】同実施形態の具体的なテキスト情報の拡大表示態様の他の例を示す図である。
【図６】テキスト拡大表示設定画面を示す図である。
【図７】同実施形態のコンテンツ表示におけるフローチャートを示す図である。
【発明を実施するための形態】
【００１８】
以下に本発明に係るコンテンツ表示装置の一実施形態について図面を参照して説明する。
【００１９】
本実施形態に係るコンテンツ表示装置１００は、インターネットから得られるＷｅｂコンテンツ等のコンテンツデータを受信し、当該コンテンツデータの示すコンテンツを画面に表示するものであり、ネットワーク接続型ＴＶや携帯電話等のキーボード又はポインティングデバイスを持たない表示機器に組み込まれて用いられるものである。
【００２０】
具体的にこのものは、図１に示すように、画面を有した表示器２と、マークアップ言語で記載されたコンテンツデータを解析し、そのコンテンツデータの示すコンテンツを画面に描画するブラウザ部３と、表示器２の画面を操作するための少なくとも方向キー（上キー、下キー、右キー及び左キー）及び決定キーを有する操作機器４とを備えている。
【００２１】
しかして、本実施形態のコンテンツ表示装置１００は、図１に示すように、ブラウザ部３が、操作機器４の操作により得られたユーザ入力を受け付けるユーザ入力受付部３１と、インターネットからコンテンツデータを取得して、当該コンテンツデータを解析するコンテンツ解析部３２と、その解析結果より、コンテンツレイアウトからテキスト情報などを解析するテキスト情報解析部３３と、前記テキスト情報解析部３３からの解析データを取得すると共に操作機器４による操作に基づいて拡大表示すべき被拡大情報を取得するテキスト情報取得部３４と、コンテンツデータの示すコンテンツを画面に表示するとともに、前記テキスト情報取得部３４からのテキストデータを取得して、そのテキストデータの示す被拡大情報を拡大表示する表示管理部３５とを備える。
【００２２】
なお、ブラウザ部３は、ＣＰＵ、メモリ、入出力インターフェース等を有する専用乃至汎用のコンピュータであり、前記メモリに格納されたプログラムにより前記ＣＰＵ及びその他の周辺機器が協働することによって上記各部等の機能を発揮する。
【００２３】
以下、各部３１〜３５の機能について説明する。
【００２４】
ユーザ入力受付部３１は、ユーザが操作機器４を操作することにより生じる操作信号を受信するものであり、受信した操作信号から押下されたボタン（方向キー又は決定キー等）の種類を検出する。そして、ユーザ入力受付部３１は、それらボタンに対応する要求を各部に出力する。
【００２５】
コンテンツ解析部３２は、インターネットからＷｅｂコンテンツ等のコンテンツデータを受信して、そのコンテンツデータを解析する。具体的にコンテンツ解析部３２は、コンテンツデータに含まれるテキスト情報及びその位置情報等を解析し、その解析データをコンテンツ表示部３５１及びテキスト情報解析部３３などに出力する。
【００２６】
テキスト情報解析部３３は、コンテンツ解析部３２からテキスト情報及びその位置情報を含む解析データを取得して、フォーカスが当てられる各項目それぞれにおいて、フォーカスが当てられる項目及びその項目に隣接表示されるテキスト情報を含む情報を被拡大情報として設定するものである。ここで、フォーカスが当てられる項目とは、例えば、アンカータグ（＜ａ＞＜／ａ＞により構成されるタグ）が付与されたテキスト（文字列）及びイメージ（画像）である。
【００２７】
具体的にテキスト情報解析部３３は、コンテンツレイアウトにおける所定の規則に基づいて、コンテンツ画面を複数の領域に分割し、フォーカスが当てられる項目及び当該項目が含まれる前記領域において隣接表示されるテキスト情報を含む情報を被拡大情報として設定する。
【００２８】
より詳細にはテキスト情報解析部３３は、コンテンツレイアウトに基づいて、コンテンツ画面を大分類及び当該大分類を小分類に分割するものである、つまり、テキスト情報解析部３３は、図２及び図３に示すように、コンテンツデータにおける、フレーム構造（フレームタグ＜ｆｒａｍｅ＞）、段落構造（段落タグ＜ｄｉｖ＞）、見出し（見出しタグ＜ｈ１＞−＜ｈ６＞）、又はフォント色（フォントタグ＜ｆｏｎｔ＞）等により大分類の領域（以下、「テキストブロック（Ｔ．Ｂ．）」等という。）に分割する。
【００２９】
そして、テキスト情報解析部３３は、さらにテキストブロックを拡大表示の単位要素となるセンテンスブロック（Ｓ．Ｂ．等という。）に分割する。つまり、テキスト情報解析部３３は、図２及び図３に示すように、フォーカス対象（アンカータグ＜ａ＞）、写真／イメージの説明（説明タグ＜ａｌｔ＞）、テキストの改行／段落（改行タグ＜ｂｒ＞、段落タグ＜ｐ＞）、又は連続する所定容量（例えば２ｂｙｔｅ）の文字等によりテキストブロックをセンテンスブロックに分割する。なお、フォーカスされる項目もセンテンスブロックであるが、以下の説明においては適宜区別する。また、テキストブロック内に上記センテンスブロックになり得る要素が無い場合には、当該テキストブロックはさらに分割しない。さらに、上記の分割においては、テキスト情報以外の情報（例えば画像）は排除している。
【００３０】
テキスト情報取得部３４は、テキスト情報解析部３３からテキストブロック及びセンテンスブロックを示すデータを含む解析データを取得すると共に、操作機器４の操作によりユーザ入力受付部３１から出力される要求を受け付けて、当該要求に基づいて、拡大表示すべきテキストブロック又はセンテンスブロックを選択し、そのデータを表示管理部３５に出力する。
【００３１】
ユーザ入力受付部３１からの要求は、フォーカスを移動させるためのフォーカス移動要求であり、この要求によりフォーカスされる項目が特定される。そして、このフォーカス移動要求により、テキスト情報取得部は、フォーカスされる項目が含まれるテキストブロックにおいて、当該フォーカスされる項目に隣接するテキストブロック又はセンテンスブロックを選択して、それらのデータを表示管理部３５に出力する。
【００３２】
表示管理部３５は、図２及び図３に示すように、表示器２の画面上にコンテンツを表示すると共に、被拡大情報を拡大表示するものである。具体的に表示管理部３５は、画面上にコンテンツを表示するコンテンツ表示部３５１と、表示器２の画面上に被拡大情報を拡大表示するテキスト情報表示部３５２とを備えている。
【００３３】
コンテンツ表示部３５１は、コンテンツ解析部３２からコンテンツ解析データを取得して画面上にコンテンツを表示すると共に、テキスト情報解析部３３から解析データであるテキストブロック及びセンテンスブロックを示すデータを取得して、フォーカスが当てられている項目を含む被拡大情報を識別可能に画面上に表示する（図２において「センテンスブロック１１及びフォーカス対象１２」、図３において「センテンスブロック０３、フォーカス対象０３及びセンテンスブロック０４）。識別可能に表示する態様としては、枠線で囲む表示をしても良いし、太文字表示にする等、他の項目に比べて強調する表示をすることが考えられる。
【００３４】
テキスト情報表示部３５２は、操作機器４の操作によるフォーカス移動に連動して、フォーカスが当てられる項目に対応する被拡大情報を自動的に画面上に拡大表示する。また、テキスト情報表示部３５２は、図２及び図３に示すように、画面上に表示されたコンテンツの一部に重複して拡大表示領域を設定し、当該拡大表示領域内に被拡大情報を拡大表示する。この被拡大情報は、操作機器４の操作によるフォーカス移動に連動して、テキスト情報取得部３４により自動的に選択されて、テキスト情報表示部３５２に出力される。なお、図２及び図３においては、画面の下側に拡大表示する態様を示しているが、後述するように表示する領域は変更可能である。
【００３５】
以下に、具体的なテキスト情報表示部３５２の表示態様について図４又は図５を参照して説明する。
【００３６】
図４の左側には、コンテンツのテキストブロック（Ｔ．Ｂ．と示す。）、センテンスブロック（Ｓ．Ｂ．と示す。）及びフォーカス対象（Ｆ．と示す。）を模式的に示したレイアウトが示してある。ここで、例えば、フォーカス対象「Ｆ．０１」にフォーカスが当たると、テキスト情報取得部３４は、拡大表示対象（被拡大情報）として、「Ｔ．Ｂ．０１＋Ｓ．Ｂ．０１＋Ｆ．０１＋Ｓ．Ｂ．０２」を選択し、そのテキストデータをテキスト情報表示部３５２に出力する。そうすると、テキスト情報表示部３５２は、そのテキストデータに示される被拡大情報を画面上に拡大表示する。
【００３７】
また、例えばフォーカス対象「Ｆ．０３」にフォーカスが当たると、テキスト情報取得部３４は、拡大表示対象（被拡大情報）として、「Ｓ．Ｂ．０２＋Ｆ．０２＋Ｆ．０３＋Ｓ．Ｂ．０３＋Ｔ．Ｂ．０４＋Ｓ．Ｂ．０４」を選択し、そのテキストデータをテキスト情報表示部３５２に出力する。そうすると、テキスト情報表示部３５２は、そのテキストデータに示される被拡大情報を画面上に拡大表示する。このとき、テキスト情報表示部３５２は、拡大表示領域内に全てのテキストを表示できない場合には、テキストをスクロール表示する。なお、図４においては、左にスクロールする態様を示しているが、下にスクロールするようにしても良い。
【００３８】
その他の表示態様を図５に示す。この表示態様において、テキスト情報表示部３５２は、以前に拡大表示した被拡大情報を表示した状態で、次の被拡大情報を表示する。つまり、フォーカスを新しい項目に移動させるに連れて徐々に拡大表示領域に表示されるテキストブロック、センテンスブロック又はフォーカスされる項目が増加する。
【００３９】
テキスト情報表示部３５２により画面上に表示される被拡大情報の表示態様は、操作機器４によって選択可能である。つまり、テキスト情報表示部３５２は、初期設定段階等において、画面上に図６のテキスト拡大表示設定画面を表示する。
【００４０】
このテキスト拡大表示設定画面は、被拡大情報の表示位置「自動（例えばフォーカスされる項目に重ならない位置に表示）、上（画面の上側）、下（画面の下側）、左（画面の左側）、右（画面の右側））」、表示領域「例えば小、大」、文字の色、文字の大きさ（多段階選択可能）、背景色、透明度、スクロール速度（多段階選択可能）等が選択可能な画面である。このようにしてユーザが拡大表示態様を選択可能にし、ユーザにとって使い勝手の良いものとしている。なお、上記画面を介して設定された条件はユーザ設定記憶部３６に記憶される。
【００４１】
次に、本実施形態のコンテンツ表示装置１００の代表的な動作について図７のフローチャートを参照して説明する。
【００４２】
コンテンツ解析部３２が、インターネットからＷｅｂコンテンツを示すコンテンツデータを取得する（ステップＳ１）。そうすると、コンテンツ解析部３２は、当該コンテンツデータを解析して、テキスト情報及びその位置情報等を算出する（ステップＳ２）。そして、コンテンツ解析部３２は、そのデータをコンテンツ表示部３５１及びテキスト情報解析部３３に出力する。
【００４３】
解析データを取得したテキスト情報解析部３３は、当該データに基づいて、テキストブロック、センテンスブロック及びフォーカス対象に分類して、コンテンツを複数の被拡大情報に分割する（ステップＳ３）。
【００４４】
コンテンツ解析データを取得したコンテンツ表示部３５１は、表示器２の画面上にコンテンツを表示する（ステップＳ４）。一方で、テキスト情報表示部３５２は、操作機器４の操作によりユーザ入力受付部３１からの要求に基づいて、被拡大情報を示すテキストデータを取得し、表示器２の画面上に被拡大情報を拡大表示する（ステップＳ５）。
【００４５】
ここで、コンテンツ表示部３５１及びテキスト情報表示部３５２は、ユーザ入力受付部３１から閲覧終了の要求を受け付けた場合には（ステップＳ６）、画面上の表示を終了する。一方、そうでない場合において、コンテンツ表示部３５１及びテキスト情報表示部３５２がユーザ入力受付部３１からフォーカス移動の要求を受け付けた場合には（ステップＳ７）、テキスト情報表示部３５２が、移動後のフォーカスされる項目に対応する被拡大情報を拡大表示するとともに（ステップＳ８）、コンテンツ表示部３５１が、フォーカス位置を移動させる（ステップＳ９）。このようにして、操作機器４の操作によるフォーカス移動に連動して、フォーカスが当てられる項目に対応する被拡大情報が自動的に画面上に拡大表示される。
【００４６】
＜本実施形態の効果＞
このように構成した本実施形態に係るコンテンツ表示装置１００によれば、ユーザが拡大領域を設定する必要なく、フォーカスされる項目を操作機器４により選択するだけで、当該フォーカスされる項目及びそれに隣接するテキスト情報を拡大表示することができる。したがって、画面から離れてコンテンツを閲覧する場合や低視力者等の視力障害を有するユーザに対して情報の取得を容易にするだけでなく、使い勝手を向上させることができる。また、元のＷｅｂコンテンツ等のコンテンツのレイアウトを変更することなく、フォーカス移動操作によって拡大表示領域内の被拡大情報を自動で切り換えるため、従来の操作方法に変更を加えることなく拡大表示することができ、ユーザに負担をかけることを防止することができる。
【００４７】
＜その他の変形実施形態＞
なお、本発明は前記実施形態に限られるものではない。
【００４８】
例えば、前記実施形態では、テキスト情報解析部が、コンテンツ画面を大分類（テキストブロック）及び当該大分類を小分類（センテンスブロック及びフォーカス項目）に分割するものであったが、これに限定されず、全て小分類（センテンスブロック及びフォーカス項目）に分割するようにしても良い。
【００４９】
また、前記実施形態では、画面上に表示されたコンテンツ上に被拡大情報を重複させて拡大表示しているが、画面をコンテンツ表示領域及び拡大表示領域に分割してコンテンツ及び被拡大情報を表示するようにしても良い。
【００５０】
その他、本発明は前記実施形態に限られず、その趣旨を逸脱しない範囲で種々の変形が可能であるのは言うまでもない。
【符号の説明】
【００５１】
１００・・・コンテンツ表示装置
２    ・・・表示器
Ｗ    ・・・画面
３    ・・・ブラウザ部
３３  ・・・テキスト情報解析部
３５  ・・・表示管理部
４    ・・・操作機器
【図１】
2011123717.tif 000003
【図２】
2011123717.tif 000004
【図３】
2011123717.tif 000005
【図４】
2011123717.tif 000006
【図５】
2011123717.tif 000007
【図６】
2011123717.tif 000008
【図７】
2011123717.tif 000009